(57)【要約】【課題】  受入口からの配達物の受け入れを可能とする一方、収容スペースに収容した配達物の受入口からの取り出しを不可能にして該配達物の盗難を防止することができるポストを提供する。【解決手段】  前面に配達物を受け入れる受入口が形成されるとともに内部に配達物を収容する収容スペースが形成されたポスト本体を備えたポストにおいて、基端部がポスト本体の内面に接続され、互いの先端側が相手方に向けて延出して受入口と収容スペースとを隔てる一対の取出阻止体を備え、該一対の取出阻止体の少なくとも何れか一方が、受入口から入れられた配達物に押されて弾性変形し、該配達物の収容スペースへの通過を許容するように構成されたことを特徴とする。【選択図】図１
2007289575.tif 000002
【特許請求の範囲】
【請求項１】
前面に配達物を受け入れる受入口が形成されるとともに内部に配達物を収容する収容スペースが形成されたポスト本体を備えたポストにおいて、基端部がポスト本体の内面に接続され、互いの先端側が相手方に向けて延出して受入口と収容スペースとを隔てる一対の取出阻止体を備え、該一対の取出阻止体の少なくとも何れか一方が、受入口から入れられた配達物に押されて弾性変形し、該配達物の収容スペースへの通過を許容するように構成されたことを特徴とするポスト。
【請求項２】
前記ポスト本体は、前後で対向した前壁及び後壁と、後壁の上端部から前方に向けて延びる天部とを備え、前記受入口が前壁と天部との間に形成されるとともに、前記収容スペースが前壁と後壁との間に形成され、一方の取出阻止体が、前壁の内面側から天部又は後壁の何れか一方に向けて延出するように設けられ、他方の取出阻止体が、天部又は後壁の何れか一方の内面側から前壁に向けて延出するように設けられている請求項１記載のポスト。
【請求項３】
前記前壁は、受入口側の上端部に回転支点が設定された開閉自在な前扉を備え、該前扉に一方の取出阻止体が取り付けられている請求項２記載のポスト。
【請求項４】
前記後壁は、天部側の上端部に回転支点が設定された開閉自在な後扉を備え、該後扉に他方の取出阻止体が取り付けられている請求項２記載のポスト。
【請求項５】
前記ポスト本体は、上下で対向する天部及び底部を備え、前記受入口が天部の一端と底部の一端との間に形成されるとともに、前記収容スペースが天部と底部との間に形成され、一方の取出阻止体は、受入口の下側から天部側に向けて延出するように設けられ、他方の取出阻止体は、受入口の上側から底部側に向けて延出するように設けられている請求項１記載のポスト
【請求項６】
一対の取出阻止体のそれぞれは、受入口の幅方向に配列された複数の線材で構成されている請求項１乃至５の何れか１項に記載のポスト。
【請求項７】
一対の取出阻止体は、互いに各線材の先端側が交差するように設けられている請求項６記載のポスト。
【請求項８】
前面に配達物を受け入れる受入口が形成されるとともに内部に配達物を収容する収容スペースが形成されたポスト本体を備えたポストの前記受入口から配達物が不正に取り出されるのを防止するための配達物不正取出防止具であって、ポスト本体の内面に取り付けられる一対の取付部材を備え、各取付部材は、ポスト本体の内面に固定されるベースと、該ベースから延出した取出阻止体とを備え、各取付部材をポスト本体の内面に取り付けた状態で、それぞれの取出阻止体が互いに相手方に向けて延出して受入口と収容スペースとを隔て、少なくとも何れか一方の取出阻止体が、受入口から入れられた配達物に押されて弾性変形し、該配達物の収容スペースへの通過を許容するように構成されたことを特徴とする配達物不正取出防止具。
【請求項９】
各取付部材の取出阻止体は、間隔をおいて並列に配設された複数の線材で構成され、各線材の基端部がベースに連結されている請求項８記載の配達物不正取出防止具。
【発明の詳細な説明】
【技術分野】
【０００１】
本発明は、郵便物や新聞等の配達物を受け入れるポスト、及びこれに取り付ける配達物不正取出防止具に関する。
【背景技術】
【０００２】
従来から、郵便物や新聞等の配達物を受け入れるポストは、前面に配達物を受け入れる受入口が形成されるとともに内部に配達物を収容する収容スペースが形成されたポスト本体を備えている。
【発明の開示】
【発明が解決しようとする課題】
【０００３】
ところで、上記構成のポストは、受入口が開口した単なる箱でしかなく、受入口から収容した配達物を簡単に取り出せる構造であり、配達物の盗難を防止することができないものである。
【０００４】
また、受入口に開閉可能な蓋体を設けて配達物を取り出しにくくしたものもあるが、かかるポストにおいても、蓋体を開いておけば受入口が開口してしまうもので、収容スペース内の配達物を受入口から簡単に取り出せてしまい、配達物の盗難を防止することができないものである。
【０００５】
そこで、本発明は、斯かる実情に鑑み、受入口からの配達物の受け入れを可能とする一方、収容スペースに収容した配達物の受入口からの取り出しを不可能にして該配達物の盗難を防止することができるポスト及び配達物不正取出防止具を提供する。
【課題を解決するための手段】
【０００６】
本発明に係るポストは、前面に配達物を受け入れる受入口が形成されるとともに内部に配達物を収容する収容スペースが形成されたポスト本体を備えたポストにおいて、基端部がポスト本体の内面に接続され、互いの先端側が相手方に向けて延出して受入口と収容スペースとを隔てる一対の取出阻止体を備え、該一対の取出阻止体の少なくとも何れか一方が、受入口から入れられた配達物に押されて弾性変形し、該配達物の収容スペースへの通過を許容するように構成されたことを特徴とする。
【０００７】
上記構成のポストによれば、一対の取出阻止体の互いの先端側が相手方に向けて延出して受入口と収容スペースとを隔てるので、該一対の取出阻止体の存在で、収容スペースに収容された配達物を受入口側に取り出すことができなくなる。その一方で、該一対の取出阻止体の少なくとも何れか一方が、受入口から入れられた配達物に押されて弾性変形し、該配達物の収容スペースへの通過を許容するように構成されているので、配達物に対する不正な取り出しを阻止すべく、一対の取出阻止体が受入口と収容スペースとを隔てていても、受入口からの配達物を収容スペースに収容することができる。
【０００８】
本発明の一態様として、前記ポスト本体は、前後で対向した前壁及び後壁と、後壁の上端部から前方に向けて延びる天部とを備え、前記受入口が前壁と天部との間に形成されるとともに、前記収容スペースが前壁と後壁との間に形成され、一方の取出阻止体が、前壁の内面側から天部又は後壁の何れか一方に向けて延出するように設けられ、他方の取出阻止体が、天部又は後壁の何れか一方の内面側から前壁に向けて延出するように設けられてもよい。このようにすれば、前壁と後壁との間に収容スペースが形成されたポスト（門扉等に取り付けられるポスト）であっても、一対の取出阻止体が確実に受入口と収容スペースとの間を隔てた態様にすることができ、収容された配達物を受入口側に取り出すことができないようにすることができる。
【０００９】
この場合、前記前壁は、受入口側の上端部に回転支点が設定された開閉自在な前扉を備え、該前扉に一方の取出阻止体が取り付けられてもよいし、或いは、前記後壁は、天部側の上端部に回転支点が設定された開閉自在な後扉を備え、該後扉に他方の取出阻止体が取り付けられてもよい。このようにすれば、仮に配達物が一対の取出阻止体間に挟まった状態になっていても、前壁の前扉、或いは後壁の後扉を開けば、それに取り付けられた取出阻止体が一緒に動くことになり、一対の取出阻止体に挟まれた状態から解除した上で、該配達物を前壁の前扉、或いは後壁の後扉側から取り出せることができる。なお、受入口の下側にある前壁の前扉は施錠できる構成であることが好ましいことは言うまでもない。
【００１０】
また、他態様として、前記ポスト本体は、上下で対向する天部及び底部を備え、前記受入口が天部の一端と底部の一端との間に形成されるとともに、前記収容スペースが天部と底部との間に形成され、一方の取出阻止体は、受入口の下側から天部側に向けて延出するように設けられ、他方の取出阻止体は、受入口の上側から底部側に向けて延出するように設けられてもよい。このようにすれば、天部と底部との間に収容スペースが形成されたポスト（例えば、マンション等に設置される浅底のポスト）であっても、一対の取出阻止体によって受入口と収容スペースとの間を隔てることができ、収容された配達物を受入口側に取り出すことができないようにすることができる。
【００１１】
さらに、前記一対の取出阻止体のそれぞれは、受入口の幅方向に配列された複数の線材で構成されることが好ましい。このようにすれば、配達物の受け入れ時に弾性変形し易く、円滑な受け入れが可能である。その一方で、複数の線材とすることで、収容スペース内の配達物を受入口から無理に取り出そうとすると、線材の先端が引っ掛かるため配達物を確実に取り出せない状態にすることができる。この場合、一対の取出阻止体は、互いに各線材の先端側が交差するように設けられることが好ましい。このようにすれば、収容スペース内の配達物を受入口から無理に取り出そうとしたときに、配達物が線材に引っ掛かる確立が高くなり、配達物をより確実に取り出せない状態にすることができる。
【００１２】
また、本発明に係る配達物不正取出防止具は、前面に配達物を受け入れる受入口が形成されるとともに内部に配達物を収容する収容スペースが形成されたポスト本体を備えたポストの前記受入口から配達物が不正に取り出されるのを防止するための配達物不正取出防止具であって、ポスト本体の内面に取り付けられる一対の取付部材を備え、各取付部材は、ポスト本体の内面に固定されるベースと、該ベースから延出した取出阻止体とを備え、各取付部材をポスト本体の内面に取り付けた状態で、それぞれの取出阻止体が互いに相手方に向けて延出して受入口と収容スペースとを隔て、少なくとも何れか一方の取出阻止体が、受入口から入れられた配達物に押されて弾性変形し、該配達物の収容スペースへの通過を許容するように構成されたことを特徴とする。
【００１３】
上記構成の配達物不正取出防止具によれば、各取付部材をポスト本体の内面に取り付けた状態で、それぞれの取出阻止体が互いに相手方に向けて延出して受入口と収容スペースとを隔てるので、各取付部材の取出阻止体の存在で、収容スペースに収容された配達物を受入口側に取り出すことができなくなる。その一方で、少なくとも何れか一方の取出阻止体が、受入口から入れられた配達物に押されて弾性変形し、該配達物の収容スペースへの通過を許容するように構成されているので、配達物に対する不正な取り出しを阻止すべく、各取付部材の取出阻止体が受入口と収容スペースとを隔てていても、受入口からの配達物を収容スペースに収容することができる。
【００１４】
そして、各取付部材の取出阻止体は、間隔をおいて並列に配設された複数の線材で構成され、各線材の基端部がベースに連結されれば、配達物の受け入れ時に弾性変形し易く、円滑な受け入れが可能である。その一方で、複数の線材とすることで、収容スペース内の配達物を受入口から無理に取り出そうとすると、線材の先端が引っ掛かるため配達物を確実に取り出せない状態にすることができる。
【発明の効果】
【００１５】
本発明によれば、受入口からの配達物の受け入れを可能とする一方、収容スペースに収容した配達物の受入口からの取り出しを不可能にして該配達物の盗難を防止することができるといった優れた効果を奏し得る。
【発明を実施するための最良の形態】
【００１６】
以下、本発明の第一実施形態に係るポストについて、添付図面を参照して説明する。
【００１７】
本実施形態に係るポストは、一般に門扉や建物の外壁等に取り付けられるタイプのもので、図１及び図２に示す如く、配達物Ｐを受け入れる受入口１０が形成されるとともに、該受入口１０から受け入れた配達物Ｐを収容する収容スペース１１が形成されたポスト本体１と、前記受入口１０に開閉可能に設けられた蓋体２と、前記収容スペース１１に収容された配達物Ｐが受入口１０から取り出されるのを防止する配達物不正取出防止手段（配達物不正取出防止具）３とを備えている。
【００１８】
前記ポスト本体１は、前後で対向した前壁１２及び後壁１３と、後壁１３の上端部から前方（前壁１２のある側）に向けて延びる天部１４と、前壁１２の下端と後壁１３の下端とを接続した底部１５と、前壁１２、後壁１３、天部１４及び底部１５の側端同士を接続した一対の側壁１６，１６とで構成されており、全体として箱状に形成されている。そして、該ポストは、前記受入口１０が前壁１２と天部１４との間に形成され、前記収容スペース１１が前壁１２と後壁１３との間に形成されている。
【００１９】
前記受入口１０は、側壁１６，１６間（ポストの幅方向）で長手をなす略長方形状の開口からなり、前記蓋体２は、受入口１０に対応した長方形状のプレートで構成され、受入口１０に嵌め込まれた状態で設けられている。そして、該蓋体２は、上端部がポスト本体１に枢着され、上端部を回転支点に回動することで、受入口１０を開閉できるようになっている。該蓋体２は、バネ等の付勢手段（図示しない）によってポスト本体１の内部から外側に向けて付勢されており、位置決手段（図示しない）によって前壁１２を略面一となる姿勢で維持されるようになっている。
【００２０】
すなわち、該ポストは、配達物Ｐを受け入れる際に蓋体２が回動して受入口１０が開くのに対し、常態において、付勢手段による付勢と位置決手段による位置決めとにより、蓋体２が前壁１２と略面一となる姿勢（受入口１０を閉じた姿勢）で維持するようになっている。
【００２１】
さらに、本実施形態に係るポストの前壁１２には、開閉可能な前扉１２ａが形成され、該前扉１２ａを開くことで収容スペース１１内の配達物Ｐを取り出せるようになっている。本実施形態においては、前壁１２自体が前扉１２ａになっており、上端部が両側の側壁１６，１６に軸支されている。これにより、前扉１２ａ（前壁１２）は、上端部を支点にして回転することで収容スペース１１内にアクセスできるようになっている。
【００２２】
本実施形態においては、受入口１０と同じ面上にある前壁１２を扉としているため、第三者のアクセスを防止すべく、前扉１２ａを施錠できるように構成されている。具体的には、南京錠等のフック部を挿入するための穴Ｈの形成された突片１７，１７が、前扉１２ａの下端及び底部１５の前端部のそれぞれから前方に延出するように設けられている。そして、前扉１２ａを閉じた状態で、両者の突片１７，１７の穴Ｈが重なりあい、該穴Ｈに南京錠等のフック部を掛止させることで施錠できるようになっている。
【００２３】
前記配達物不正取出防止手段３は、基端部がポスト本体１の内面に接続され、受入口１０と収容スペース１１とを隔てるように、互いの先端側が相手方に向けて延出した一対の取出阻止体（以下、一方の取出阻止体を第一取出阻止体といい、他方の取出阻止体を第二取出阻止体という）３００，３１０を備えている。
【００２４】
より具体的に説明すると、本実施形態に係る配達物不正取出防止手段３は、ポスト本体１の内面に取り付けられる一対の取付部材（以下、一方の取付部材を第一部材といい、他方の取付部材を第二部材という）３０，３１を備えている。
【００２５】
前記第一部材３０は、前壁１２（ポスト本体１の内面）に固定された第一ベース（ベース）３０１と、該第一ベース３０１に基端側が連結され、前壁１２の内面側から天部１４又は後壁１３の何れか一方（本実施形態においては天部１４）に向けて延出した前記第一取出阻止体３００とを備えている。他方、第二部材３１は、天部１４又は後壁１３の何れか一方（本実施形態においてはポスト本体１の内面としての天部１４）に固定された第二ベース（ベース）３１１と、該第二ベース３１１に基端側が連結され、天部１４又は後壁１３の何れか一方（本実施形態においては天部１４）側から前壁１２に向けて延出する前記第二取出阻止体３１０とを備えている。
【００２６】
前記第一取出阻止体３００及び第二取出阻止体３１０は、共同して受入口１０と収容スペース１１とを隔てるように配置されている。すなわち、前記第一取出阻止体３００及び第二取出阻止体３１０は、受入口１０と収容スペース１１との間の配達物Ｐが通過する領域を遮るように設けられている。前記第一取出阻止体３００及び第二取出阻止体３１０は、受入口１０から入れられた配達物Ｐに押されることで弾性変形し、該配達物Ｐの通過を許容するようになっている。
【００２７】
本実施形態において、図３（ａ）に示す如く、第一取出阻止体３００及び第二取出阻止体３１０は、いずれも鋼材料からなる複数本の線材３００ａ…，３１０ａ…で構成されている。第一取出阻止体３００及び第二取出阻止体３１０は、何れも受入口１０の長手方向（幅方向）に間隔をおいて配設されている。すなわち、第一取出阻止体３００を構成する複数の線材３００ａ…は、各線材３００ａ…の軸線が前壁１２から天部１４に向けて伸びるように、該軸線と直交する方向に間隔をおいて配設される一方、第二取出阻止体３１０を構成する複数の線材３１０ａ…は、各線材３１０ａ…の軸線が天部１４から前壁１２に向けて伸びるように、該軸線と直交する方向に間隔をおいて配設されている。
【００２８】
前記第一取出阻止体３００及び第二取出阻止体３１０は、それぞれの線材３００ａ…，３１０ａ…が軸線と直交する方向にそれぞれ変位するように配置され、第一取出阻止体３００の線材３００ａ…間に、第二取出阻止体３１０の線材３１０ａ…が位置するように設けられている。そして、本実施形態においては、第一取出阻止体３００及び第二取出阻止体３１０の線材３００ａ…，３１０ａ…は、その並列方向（側壁１６側）からみて、互いの先端側が交差した態様になるように長さ設定されている（図２参照）。なお、各線材３００ａ…，３１０ａ…の先端部は、面取り或いは丸め加工が施されており、配達物Ｐの正規の取り出し時等において線材３００ａ…，３１０ａ…の先端部で怪我をするのを防止するようにしている。
【００２９】
前記第一ベース３０１は、図３（ｂ）に示す如く、前壁１２に直接的に固定される第一取付板３０２と、該第一取付板３０２に重ね合わされる帯状の第一固定板３０３とで構成されている。
【００３０】
前記第一取付板３０２は、帯板状に形成されており、前壁１２（前扉１２ａ）の内面に対して固着されている。本実施形態においては、完成品たるポストの一構成とするため、前記第一取付板３０２は、前扉１２ａに対して溶着（例えば、スポット溶接）されている。前記第一固定板３０３は、第一取付板３０２と同様、帯板状に形成されており、前記第一取付板３０２と対向する面には、図３（ｃ）に示す如く、前記線材３００ａ…を嵌め込むための複数の溝３０４…が、該第一固定板３０３の長手方向に間隔をおいて形成されている。各溝３０４…は、第一固定板３０３の短手方向の一端面上を始点にして他端側に向けて伸びている。本実施形態においては、第一固定板３０３上の溝３０４…の終点部分に、第一固定板３０３の板厚方向（溝３０４…と直交する方向）に小径の嵌入穴３０５…が穿設されている。これに伴い、前記第一取出阻止体３００の線材３００ａ…は、基端部がＬ字状に折り曲げられており、該基端部を第一固定板３０３の嵌入穴３０５…に挿入するとともに、該基端部よりも先端側を溝３０４…内に嵌め込むようになっている。
【００３１】
そして、第一固定板３０３は、上述の如く、第一取出阻止体３００の線材３００ａ…を溝３０４…及び嵌入穴３０５…に嵌め込んだ状態で、第一取付板３０２に重ね合わせ状態で固定（例えば、溶接やネジ止め等）されている（図３（ｂ）参照）。なお、第一取出阻止体３００の線材３００ａ…を真っ直ぐなままにしておくと、前扉１２ａに沿った状態になるので、第一取出阻止体３００の線材３００ａ…は、第一ベース３０１から延出する基部が曲げられ、前壁１２（前扉１２ａ）に対して傾斜した姿勢をなしている。
【００３２】
前記第二ベース３１１は、第一ベース３０１と基本構成が同一であるので、図３を参照して説明すると、該第二ベース３１１は、図３（ｂ）に示す如く、天部１４に直接的に固定される第二取付板３１２と、該第二取付板３１２に重ね合わされる帯状の第二固定板３１３とで構成されている。
【００３３】
前記第二取付板３１２は、帯板状に形成されており、天部１４の内面に対して固着されている。本実施形態においては、完成品たるポストの一構成とするため、前記第二取付板３１２は、第一取付板３０２と同様、天部１４に対して溶着（例えば、スポット溶接）されている。前記第二固定板３１３は、第二取付板３１２と同様、図３（ｃ）に示す如く、帯板状に形成されており、前記第二取付板３１２と対向する面には、前記線材３１０ａ…を嵌め込むための複数の溝３１４…が、該第二固定板３１３の長手方向に間隔をおいて形成されている。各溝３１４…は、第二固定板３１３の短手方向の一端面上を始点にして他端側に向けて伸びている。本実施形態においては、第二固定板３１３上の溝３１４…の終点部分に、第二固定板３１３の板厚方向（溝３１４…と直交する方向）に小径の嵌入穴３１５…が穿設されている。これに伴い、前記第二阻止体の線材３１０ａ…は、基端部がＬ字状に折り曲げられており、該基端部を第二固定板３１３の嵌入穴３１５…に挿入するとともに、該基端部よりも先端側を溝３１４…内に嵌め込むようになっている。
【００３４】
そして、第二固定板３１３は、上述の如く、第二取出阻止体３１０の線材３１０ａ…を溝３１４…及び嵌入穴３１５…に嵌め込んだ状態で、第二取付板３１２に重ね合わせ状態で固定（例えば、溶接やネジ止め等）されている。なお、第二取出阻止体３１０の線材３００ａ…，３１０ａ…を真っ直ぐなままにしておくと、天部１４に沿った状態になるので、第二取出阻止体３１０の線材３１０ａ…は、第二ベース３１１から延出する基部が曲げられ、天部１４に対して傾斜した姿勢をなしている。
【００３５】
なお、本実施形態においては、第一部材３０（第一取出阻止体３００）が開閉可能な前扉１２ａに固定されているため、第一取出阻止体３００の線材３００ａ…は、第二取出阻止体３１０の線材３１０ａ…よりも短め（基部から先端までの長さが短め）に設定されており、前扉１２ａを開くときの第一取出阻止体３００の移動範囲を小さくするようにしている。
【００３６】
本実施形態に係るポストは、以上の構成からなり、次に、該ポストの作用について説明する。
【００３７】
図２に戻り、本実施形態に係るポストは、上述の如く、配達物不正取出防止手段３（第一取出阻止体３００、第二取出阻止体３１０）が、受入口１０と収容スペース１１との間で配達物Ｐが通過する領域を遮っているため、受入口１０から配達物Ｐが入れられる際、該配達物Ｐによって第一取出阻止体３００、及び第二取出阻止体３１０がポスト本体１内部側に押されることになる。そうすると、その配達物Ｐによって押される第一取出阻止体３００（線材３００ａ…）、及び第二取出阻止体３１０（線材３１０ａ…）は、それぞれ弾性変形して互いの先端部が離間して配達物Ｐの通過を許容することになる。そして、配達物Ｐが第一取出阻止体３００と第二取出阻止体３１０との間を完全に通過して収容スペース１１に収容されると、第一取出阻止体３００及び第二取出阻止体３１０は、自己の復元力によって元の姿勢に戻り、受入口１０と収容スペース１１との間で配達物Ｐが通過する領域を遮った状態に戻ることになる。
【００３８】
そして、何らかの者が受入口１０に手を入れて配達物Ｐを取り出そうとしても、配達物不正取出防止手段３（第一取出阻止体３００、第二取出阻止体３１０）の存在によって、収容スペース１１内の配達物Ｐにまで手が届かず、配達物Ｐが盗まれてしまうことが防止される。仮に、収容スペース１１内の配達物Ｐに手が届いて受入口１０から無理矢理取り出そうとしても、配達物Ｐが第一取出阻止体３００と第二取出阻止体３１０の先端側に引っ掛かることで、受入口１０から外部に取り出されることもない。
【００３９】
特に、本実施形態においては、第一取出阻止体３００及び第二取出阻止体３１０のそれぞれの線材３００ａ…，３１０ａ…の先端部が交差するような態様にしているため、収容スペース１１内の配達物Ｐを受入口１０から取り出そうとしたときに、配達物Ｐが線材３００ａ…，３１０ａ…により引っ掛かり易くなり、配達物Ｐを取り出せない状態に確実にすることができる。
【００４０】
そして、収容スペース１１内の配達物Ｐを取り出す場合には、前扉１２ａを開くことで取り出すことができる。本実施形態においては、前扉１２ａに第一取出阻止体３００を取り付けるようにしたので、仮に、第一取出阻止体３００と第二取出阻止体３１０との間に配達物Ｐが引っ掛かっていたとしても、前扉１２ａを開くことで、第一取出阻止体３００が前扉１２ａに付いて移動する結果、該第一取出阻止体３００の先端が第二取出阻止体３１０から離間することになる。これにより、第一取出阻止体３００と第二取出阻止体３１０とによる配達物Ｐに対する挟持が解除され、該配達物Ｐを簡単に取り出すことが可能となる。
【００４１】
以上のように、本実施形態に係るポストは、第一及び第二取出阻止体３００，３１０が、受入口１０からの配達物Ｐに押されて弾性変形することで該配達物Ｐの通過を許容するので、配達物Ｐを円滑且つ確実に収容スペース１１に収容することができる。その一方で、一旦配達物Ｐが収容スペース１１に収容されると、受入口１０と収容スペース１１とを隔てるように先端側が相手方に向けて延出した第一及び第二取出阻止体３００，３１０の存在で配達物Ｐを受入口１０側に取り出すことができなくなり、配達物Ｐの盗難を防止することができる。そして、本実施形態においては、第一取出阻止体３００を前壁１２の内面側から天部１４に向けて延出させ、第二取出阻止体３１０を天部１４の内面側から前壁１２に向けて延出させるようにしたので、門扉や建物の外壁等に取り付けられる底の深いポストであっても、受入口１０からの配達物Ｐの受け入れを可能とする一方、一旦収容スペース１１に収容した配達物Ｐを受入口１０から取り出すことができない状態にすることができ、配達物Ｐの盗難を防止することができる。
【００４２】
そして、第一取出阻止体３００及び第二取出阻止体３１０のそれぞれは、受入口１０からの配達物Ｐが通過する通過領域を遮るように、受入口１０の幅方向に配列された複数の線材３００ａ…，３１０ａ…で構成されているので、配達物Ｐの受け入れ時に弾性変形し易く、円滑な受け入れが可能である一方、配達物Ｐを受入口１０から無理に取り出そうとすると、線材３００ａ…，３１０ａ…の先端が引っ掛かるため配達物Ｐを確実に取り出せない状態にすることができる。特に、第一取出阻止体３００及び第二取出阻止体３１０は、それぞれの線材３００ａ…，３１０ａ…の先端側が交差しているので、収容スペース１１内の配達物Ｐを受入口１０から無理に取り出そうとしたときに、配達物Ｐが線材３００ａ…，３１０ａ…に引っ掛かる確立が高くなり、配達物Ｐをより確実に取り出せない状態にすることができる。
【００４３】
さらに、前記前壁１２を受入口１０側の上端部に回転支点を設定した開閉自在な前扉１２ａとし、第一取出阻止体３００を前扉１２ａに取り付けるようにしたので、仮に配達物Ｐが第一取出阻止体３００と第二取出阻止体３１０との間に挟まった状態になっていても、前扉１２ａを開けることで配達物Ｐを第一取出阻止体３００と第二取出阻止体３１０とで挟まれた状態から解除して取り出せることができる。
【００４４】
次に、本発明の第二実施形態に係るポストについて説明する。なお、本実施形態に係るポストは、マンション等で集合的に設けられる浅型のポストで、第一実施形態に係るポストに対してポスト本体の構成及び配達物不正取出防止手段（第一部材及び第二部材）の配置を異にするのみであるので、第一実施形態と同様、或いは、相当する構成について同一符号及び同一名称を付し、異なる構成についてのみ説明することとする。また、第一実施形態と同様、或いは、相当する構成について一部説明する場合もあるが、この場合においては、第一実施形態の図面を参照することとする。
【００４５】
本実施形態に係るポストは、図４に示す如く、配達物Ｐを受け入れる受入口１０が形成されるとともに、該受入口１０から受け入れた配達物Ｐを収容する収容スペース１１が形成されたポスト本体１と、前記受入口１０に開閉可能に設けられた蓋体２と、前記収容スペース１１に収容された配達物Ｐが受入口１０から取り出されるのを防止する配達物不正取出防止手段３（配達物不正取出防止具）とを備えている。
【００４６】
前記ポスト本体１は、上下で対向する天部１４及び底部１５と、天部１４及び底部１５の側端同士を接続した一対の側壁１６，１６とを備え、扁平角筒状に形成されている。そして、該ポスト本体１は、前記受入口１０が天部１４の一端（前端）と底部１３の一端（前端）との間に形成され、前記収容スペース１１が天部１４と底部１５との間に形成されている。
【００４７】
具体的には、該ポスト本体１は、底部１５の一端から天部１４に向けて延出した前壁片（以下、第一前壁片という）１２’と、天部１４の一端から底部１５に向けて延出した前壁片（以下、第二前壁片という）１２’’とが形成され、該第一前壁片１２’と第二前壁片１２’’との間に受入口１０が形成されている。また、該ポスト本体１は、天部１４及び底部１５の他端間（後ろ側の開口）を開閉可能とする後扉１３ａが設けられている。
【００４８】
そして、第一実施形態と同様、前記受入口１０は、側壁１６，１６間（ポストの幅方向）で長手をなす略長方形状の開口からなり、前記蓋体２は、第一実施形態と同様に、受入口１０を開閉可能に設けられている。
【００４９】
本実施形態に係る配達物不正取出防止手段３においても、基端部がポスト本体１の内面に接続され、受入口１０と収容スペース１１とを隔てるように先端側が相手方に向けて延出した第一取出阻止体３００及び第二取出阻止体３１０を備え、受入口１０から入れられた配達物Ｐに押されることで弾性変形し、該配達物Ｐの収容スペース１１への通過を許容するようになっている。
【００５０】
本実施形態において、第一取出阻止体３００は、受入口１０の下側から天部１４（天部１４側にある第二取出阻止体３１０の先端部）に向けて延出し、第二取付阻止体３１０は、受入口１０の上側から底部１５（底部１５側にある第一取出阻止体３００の先端部）に向けて延出するように設けられている。
【００５１】
前記第一取出阻止体３００は、第一前壁片１２’（ポスト本体１の内面）に固定された第一ベース（ベース）３０１に基端部が接続されており、第一実施形態と同様、第一ベース３０１とともに第一部材３０を構成している。他方、第二取出阻止体３１０は、第二前壁片１２’’（ポスト本体１の内面）に固定された第二ベース（ベース）３１１に基端部が接続されており、第一実施形態と同様、第二ベース３１１とともに第二部材３１を構成している。
【００５２】
本実施形態においては、第一部材３０及び第二部材３１が開閉可能な蓋体２が設けられた受入口１０を基準にして上下に配設されているため、前記第一取出阻止体３００及び第二取出阻止体３１０は、該蓋体１０の移動領域を躱すようにして設けられている。
【００５３】
すなわち、第一取出阻止体３００は、第一前壁片１２’に対して傾斜する（内角が８０°以下で傾斜する）ように延出するとともに、第二取出阻止体３１０は、第二前壁片１２’’に対して傾斜する（好ましくは内角が８０°以下で傾斜する）ように延出し、該第一取出阻止体３００と第二取出阻止体３１０とによって、蓋体２の移動領域を包囲した態様をなしている。なお、第一取出阻止体３００の第一前壁片１２’に対する内角、及び第二取出阻止体３１０の第二前壁片１２’’に対する内角は、蓋体２の移動領域を躱すことを前提にできるだけ小さくすることが好ましい。このようにすれば、第一取出阻止体３００及び第二取出阻止体３１０が収容スペース１１にまで至って占有するのを抑えることができる。
【００５４】
なお、本実施形態においても、第一取出阻止体３００及び第二取出阻止体３１０は、何れも受入口１０の長手方向（幅方向）に間隔をおいて配設された鋼材料からなる複数本の線材３００ａ…，３１０ａ…で構成されている。なお、各ベース３０１，３１１の構成や線材３００ａ…，３１０ａ…の連結態様は第一実施形態と同様である（図３参照）。
【００５５】
以上のように本実施形態に係るポストは、第一実施形態と同様に、基端部がポスト本体１の内面に接続され、受入口１０と収容スペース１１とを隔てるように互いの先端側が相手方に向けて延出した第一取出阻止体３００及び第一取出阻止体３１を備え、これらが、受入口１０から入れられた配達物Ｐに押されて弾性変形し、該配達物Ｐの収容スペースへの通過を許容するように構成されているので、第一実施形態と同様の作用、効果を奏することができる。その上、第一取出阻止体３００が受入口１０の下側から天部１４側に向けて延出するように設けられ、第二取出阻止体３１０が受入口１０の上側から底部１５側に向けて延出するように設けたので、マンション等に設置される浅底のポストであっても、第一及び第二取出阻止体３００，３１０で受入口１０と収容スペース１１との間を隔てた態様にすることができ、収容された配達物Ｐを受入口１０側に取り出すことができないようにすることができる。
【００５６】
尚、本発明は、上記の何れの実施形態にも限定されるものではなく、本発明の要旨を逸脱しない範囲内において種々変更を加え得ることは勿論である。
【００５７】
上記何れの実施形態においても、配達物不正取出防止手段３をポストの一構成としたが、これに限定されるものではなく、配達物不正取出防止手段３を別個のポストに取り付けるための配達物不正取出防止具としてもよい。この場合、配達物不正取出防止具を構成する前記第一部材３０及び第二部材３１をそれぞれ独立した部材とし、該第一部材３０（第一ベース３０１）及び第二部材３１（第二ベース３１１）を両面粘着テープや接着材でポスト本体１の内面に固定するようにすればよい。このように独立した配達物不正取出防止具とする場合においても、配達物不正取出防止具は、上記構成に限定されるものではない。
【００５８】
すなわち、配達物不正取出防止手段３（配達物不正取出防止具）は、第一部材３０及び第二部材３１を金属材料で構成したものに限定されるものではなく、例えば、全体を樹脂成形品で構成したり、樹脂成形品と金属材料との組み合わせで構成したりしても勿論よい。
【００５９】
また、配達物不正取出防止手段３（配達物不正取出防止具）は、複数の線材３００ａ…，３１０ａ…を並列に配設して第一取出阻止体３００及び第二取出阻止体３１０を構成したものに限定されるものではなく、例えば、第一取出阻止体３００及び第二取出阻止体３１０の両者を弾性変形可能な薄板で構成するようにしてもよい。この場合、上記実施形態のように互いの先端部を交差するような態様にすることができないため、それぞれの先端同士をできるだけ接近させた態様にすることが好ましい。
【００６０】
また、配達物不正取出防止手段３（配達物不正取出防止具）は、第二取出阻止体３１０を天部１４に固定したものに限定されるものではなく、例えば、第一実施形態のように底の深いポストである場合には、前壁１２と後壁１３との間隔が比較的狭いので、前壁１２に対向する後壁１３の内面に第二取出阻止体３１０を固定するようにしてもよい。すなわち、第一取出阻止体３００及び第二取出阻止体３１０が、常態において受入口１０と収容スペース１１とを隔て（配達物Ｐが通過する領域を遮り）、受入口１０からの配達物Ｐの通過に伴って両者が弾性変形するように構成すればよい。
【００６１】
また、上記何れの実施形態においても、第一取出阻止体３００及び第二取出阻止体３１０の両者を弾性変形可能に構成したが、例えば、第一取出阻止体３００又は第二取出阻止体３１０の何れか一方を弾性変形可能に構成し、その一方のみが受入口１０から入れられた配達物Ｐに押されて弾性変形することで、該配達物Ｐの収容スペース１１への通過を許容するようにしてもよい。このようにしても、配達物Ｐの受け入れが可能となる一方、受入口１０と収容スペース１１との間を隔てる第一取出阻止体３００及び第二取出阻止体３１０の存在によって、受入口１０からの配達物Ｐの取り出しを防止することができる。
【００６２】
上記何れの実施形態においても、受入口１０に開閉可能な蓋体２を設けるようにしたが、これに限定されるものではなく、受入口１０を開口させたままのものであってもよい。このようにしても、前記配達物不正取出防止手段３（配達物不正取出防止具）を設けることで、収容した配達物Ｐが不正に取り出されるのを防止できることは上記実施形態からも明らかである。
【００６３】
そして、上記第一実施形態において前壁１２を開閉可能な前扉１２ａとしたポストについて説明したが、例えば、第一実施形態のように底の深いポストであっても前壁１２に換えて後壁１３に開閉可能な後扉が形成されたものであってもよい。この場合、後壁１３の全体、或いは、後壁１３の一部が上端部の枢着された後扉とされ、該後扉に第二取出阻止体３１０を固定するようにしてもよい。このようにしても、第一取出阻止体３００と第二取出阻止体３１０との間に配達物Ｐが挟まった状態になっても、上記実施形態と同様、後扉を開くことで第二取出阻止体３１０が後扉に付いて移動することになり、配達物Ｐを挟まった状態から解除した上で取り出すことができる。なお、第二実施形態に係るポストは、浅底（横長）であるため、後扉１３ａと受入口１０との間隔が非常に長くなるため、第二取出阻止体３１０を後壁１３（後扉１３ａ）に取り付けるのは第一実施形態のタイプのポストであることが好ましい。
【００６４】
上記第二実施形態において、第一前壁片１２’に第一部材３０を取り付け、第二前壁片１２’’に第二部材３１を取り付けるようにしたが、例えば、第一部材３０を天部１４に取り付ける一方で、第二部材３１を第二前壁片１２’’又は底部１５に取り付けるようにしたり、第一部材３０を第一前壁片１２’に取り付ける一方で、第二部材３１を底部１５に取り付けるようにしたりしてもよい。すなわち、一対の取出阻止体３００，３１０は、基端部がポスト本体１の内面に接続され、受入口１０と収容スペース１１とを隔てるように先端側が相手方に向けて延出した態様となれば、取付位置は適宜変更可能である。
【００６５】
上記何れの実施形態において、第一取出阻止体３００及び第二取出阻止体３１０のそれぞれを第一ベース３０１或いは第二ベース３１１を介してポスト本体１に固定するようにしたが、例えば、配達物不正取出防止手段３をポストの一構成とする場合には、第一取出阻止体３００及び第二取出阻止体３１０をポスト本体１に直接固定するようにしても勿論よい。ただし、第一取出阻止体３００及び第二取出阻止体３１０を線材３００ａ…，３１０ａ…で構成する場合には、各線材３００ａ…，３１０ａ…が小径で接着等に作用する面積が非常に狭いため、線材３００ａ…，３１０ａ…の取付強度を考慮すれば上記実施形態のようにベースを介してポスト本体１に固定することが好ましい。
【００６６】
また、上記何れの実施形態において、線材３００ａ…，３１０ａ…の先端部を面取り或いは丸め加工するようにしたが、例えば、各線材３００ａ…，３１０ａ…の先端部を環状に曲げ加工したり、各線材３００ａ…，３１０ａ…の先端部を樹脂等で被服するようにしたりしてもよい。
【図面の簡単な説明】
【００６７】
【図１】本発明の第一実施形態に係るポストの全体斜視図を示す。
【図２】第一実施形態に係るポストの縦断面図を示す。
【図３】第一実施形態に係る配達物不正取出防止手段（配達物不正取出防止具）の説明図であって、（ａ）は、第一部材及び第二部材の構成及び配置を説明するための説明図を示し、（ｂ）は、第一ベース（第二ベース）の縦断面図を示し、（ｃ）は、第一固定板及び第二固定板の溝及び嵌入穴の配置を説明するための平面図を示す。
【図４】本発明の第二実施形態に係るポストの縦断面図を示す。
【符号の説明】
【００６８】
１…ポスト本体、２…蓋体、３…配達物不正取出防止手段（配達物不正取出防止具）、１０…受入口、１１…収容スペース、１２…前壁、１２ａ…前扉、１２’…第一前壁片（前壁片）、１２’’…第二前壁片（前壁片）、１３…後壁、１３ａ…後扉、１４…天部、１５…底部、１６…側壁、１７…突片、３０…第一部材（取付部材）、３１…第二部材（取付部材）、３００…第一取出阻止体（取出阻止体）、３００ａ…線材、３０１…第一ベース（ベース）、３０２…第一取付板、３０３…第一固定板、３０４…溝、３０５…嵌入穴、３１０…第二取出阻止体（取出阻止体）、３１０ａ…線材、３１１…第二ベース（ベース）、３１２…第二取付板、３１３…第二固定板、３１４…溝、３１５…嵌入穴、Ｈ…穴、Ｐ…配達物
【図１】
2007289575.tif 000003
【図２】
2007289575.tif 000004
【図３】
2007289575.tif 000005
【図４】
2007289575.tif 000006